(57)【要約】【課題】茶葉摘採機１に取り付ける収容容器４１の重量に起因する課題を解決する。【解決手段】茶葉摘採機１に取り付けて使用する収容容器４１の一部を覆布４８で構成する。たとえば収容容器４１についての少なくとも上部を、覆布４８により構成する。または、覆布４８を、平面または多面形状とし、保持機構４９は、覆布４８の外縁部分５８以外のたとえば上面外周５９を支えることにより覆布４８を多面形状に保持し、該多面形状の覆布４８により多面体形状の上部を構成する少なくとも二面を形成する。【選択図】  図１
2014226049.tif 000002
【特許請求の範囲】
【請求項１】
摘採された茶葉を収容する、折り畳み可能な収容容器と、
前記収容容器を開いた状態に保持して、前記収容容器を、茶葉を収容するための所定の多面体形状に保持する保持機構と、
を有し、
前記収容容器は、少なくとも上部が覆布により構成される、
茶葉摘採機。
【請求項２】
摘採された茶葉を収容する、折り畳み可能な収容容器と、
前記収容容器を開いた状態に保持して、前記収容容器を、茶葉を収容するための所定の多面体形状に保持する保持機構と、
を有し、
前記収容容器は、平面または多面形状の覆布を有し、
前記保持機構は、前記覆布の外縁以外の部分を支えることにより前記覆布を多面形状に保持し、該多面形状の覆布により前記多面体形状の上部を構成する少なくとも二面を形成する、
茶葉摘採機。
【請求項３】
前記茶葉摘採機は、走行可能な機器本体を有し、
前記収容容器は、
前記機器本体の後部に、前記機器本体の前後方向に折り畳み可能に取り付けられ、前記機器本体の後方へ向かって開くことにより前記多面体形状になる、
請求項２記載の茶葉摘採機。
【請求項４】
前記収容容器は、前記機器本体の後部において立方体形状に開き、
前記覆布は、前記立方体形状の上面部分、左右の側面部分および後側の側面部分に対応する多面の立体形状を有し、
前記保持機構は、前記上面についての前記外縁以外のコの字の外周の少なくとも一部を支えることにより前記覆布を前記多面の立体形状に開き、前記収容容器を、前記立方体形状に開いた状態に保持する、
請求項３記載の茶葉摘採機。
【請求項５】
前記覆布は、少なくとも前記上面部分が、通気可能なメッシュ構造または多孔構造である、
請求項４記載の茶葉摘採機。
【請求項６】
前記覆布は、前記左右の側面部分および前記後側の側面部分が、通気可能なメッシュ構造または多孔構造である、
請求項４または５記載の茶葉摘採機。
【請求項７】
前記収容容器は、
前記機器本体の後部に、立ち姿勢と水平姿勢との間で姿勢を変化可能に取り付けられた底枠または底板を有し、水平姿勢の前記底枠または底板により前記立方体形状の底面部分が構成され、
前記覆布の下縁は、前記収容容器を折り畳む場合、立ち姿勢の前記底枠または底板と前記機器本体との間に収容される、
請求項４から６のいずれか一項記載の茶葉摘採機。
【請求項８】
前記多面体形状の収容容器の少なくとも１つの面部分は、通気可能なメッシュ構造または多孔構造である、
請求項１または２記載の茶葉摘採機。
【請求項９】
前記収容容器は、前記多面体形状の１つの面を構成する開状態と閉状態との間で可動可能な開閉部材を有し、
前記覆布は、前記収容容器を折り畳んだ状態において、少なくとも一部が、前記閉状態の開閉部材により覆われる、
請求項１または２記載の茶葉摘採機。
【請求項１０】
前記覆布は、
紐、ワイヤ若しくはチェーンを編んだ網、板若しくは布に孔を開けた多孔板若しくは多孔布、またはこれらを組み合わせた構造による、通気可能なメッシュ構造または多孔構造を有する、
請求項１から９のいずれか一項記載の茶葉摘採機。
【請求項１１】
走行可能な機器本体に対して取り付け可能な茶葉摘採機の茶葉収容装置であって、
摘採された茶葉を収容する、折り畳み可能な収容容器と、
前記収容容器を開いた状態に保持して、前記収容容器を、茶葉を収容するための所定の多面体形状に保持する保持機構と、
を有し、
前記収容容器は、平面または多面形状の覆布を有し、
前記保持機構は、前記覆布の外縁以外の部分を支えることにより前記覆布を多面形状に保持し、該多面形状の覆布により前記多面体形状の少なくとも二面を形成する、
茶葉摘採機の茶葉収容装置。
【発明の詳細な説明】
【技術分野】
【０００１】
本発明は、茶葉摘採機およびその茶葉収容装置に関する。
【背景技術】
【０００２】
茶葉摘採機には、たとえば茶畝を跨いで走行し、移動しながら茶畝から茶葉を摘採する、大型のものがある。このような茶葉摘採機では、走行可能な機器本体に対して、走行中に摘採した茶葉を収容する収容容器を取り付けることがある（特許文献１）。
【先行技術文献】
【特許文献】
【０００３】
【特許文献１】特開２００４−２２９５８６号公報
【発明の概要】
【発明が解決しようとする課題】
【０００４】
しかしながら、茶葉摘採機に収容容器を取り付けると、各種の課題が生じる可能性がある。
たとえば、収容容器は、摘採した茶葉を大量に収容する必要があるために、できるだけ大型に形成することが望ましい。また、収容容器は、収容した大量の茶葉の重さに耐え得る強度に形成することが望ましい。このため、収容容器は、一般的に、金属を用いて大型に形成する。その結果、収容容器は重くなる。また、収容容器を取り付けることにより、茶葉摘採機の重心が高くなる。
【０００５】
このように茶葉摘採機に取り付ける収容容器には、その重量に起因した課題が生じる可能性がある。
【課題を解決するための手段】
【０００６】
このような課題を解決するために、本発明では、茶葉摘採機に取り付けて使用する収容容器の一部を覆布で構成する。
このように収容容器の一部を覆布で構成することにより、収容容器の全体を金属で形成する場合と比べて収容容器が軽量になる。また、収容容器を取り付けた茶葉摘採機の重心が高くなることを、抑えることができる。
【０００７】
好適には、収容容器についての少なくとも上部を覆布により構成する、とよい。
これにより、単に収容容器の重さを軽くできるだけでなく、収容容器の低重心化を図ることができる。収容容器を取り付けた茶葉摘採機の低重心化を図ることができる。
そして、収容容器についての少なくとも上部を覆布により構成する場合、覆布を支えないと収容容器が広がらない。このため、保持機構を用い、少なくとも上部が覆布により構成された収容容器を開いた状態に保持し、収容容器を、茶葉を収容するための所定の多面体形状に保持するとよい。これにより、茶葉を収容する際に収容容器を広げた状態に維持できる。覆布を支えないままで茶葉を収容させる場合と比べて、所定の多面体形状により所望の量の茶葉を収容容器に収容させることができる。収容容器の収容能力を損なうことなく、収容容器の低重心化を図れる。
【０００８】
好適には、収容容器は、平面または多面形状の覆布を有し、保持機構は、覆布の外縁以外の部分を支えることにより覆布を多面形状に保持し、該多面形状の覆布により多面体形状の収容容器についての少なくとも二面を形成する、とよい。
これにより、多面体形状の収容容器についての少なくとも二面を、それらの間で連続する覆布で形成できる。収容容器の枠体自体を多面体形状に形成する必要が無い。枠体の一部を省略して更なる軽量化を図りつつ、多面体形状の収容容器を実現できる。
特に、多面体形状の収容容器についての上部を構成する少なくとも二面を、１枚の覆布で形成することにより、収容容器についての更なる低重心化を図れる。
【０００９】
好適には、茶葉摘採機は、走行可能な機器本体を有し、収容容器は、機器本体の後部に、機器本体の前後方向に折り畳み可能に取り付けられ、機器本体の後方へ向かって開くことにより多面体形状になる、とよい。
【００１０】
好適には、収容容器は、機器本体の後部において立方体形状に開き、覆布は、立方体形状の上面部分、左右の側面部分および後側の側面部分に対応する多面の立体形状を有し、保持機構は、上面についての外縁以外のコの字の外周の少なくとも一部を支えることにより覆布を多面の立体形状に開き、収容容器を、立方体形状に開いた状態に保持する、とよい。
【００１１】
好適には、覆布は、少なくとも上面部分が、通気可能なメッシュ構造または多孔構造である、とよい。
【００１２】
好適には、覆布は、左右の側面部分および後側の側面部分が、通気可能なメッシュ構造または多孔構造である、とよい。
【００１３】
好適には、収容容器は、機器本体の後部に、立ち姿勢と水平姿勢との間で姿勢を変化可能に取り付けられた底枠または底板を有し、水平姿勢の底枠または底板により立方体形状の底面部分が構成され、前記覆布は、前記収容容器を折り畳んだ状態において、少なくとも一部が、前記閉状態の開閉部材により覆われる、とよい。
【００１４】
好適には、覆布は、紐、ワイヤ若しくはチェーンを編んだ網、板若しくは布に孔を開けた多孔板若しくは多孔布、またはこれらを組み合わせた構造による、通気可能なメッシュ構造または多孔構造を有する、とよい。
【図面の簡単な説明】
【００１５】
【図１】図１は、本発明の第１実施形態に係る茶葉摘採機を示す開状態の側面図である。
【図２】図２は、図１の茶葉摘採機の開状態の上面図である。
【図３】図３は、図１の茶葉摘採機の開状態の背面図である。
【図４】図４は、図１の茶葉摘採機の閉状態の側面図である。
【図５】図５は、図１の茶葉摘採機の閉状態の上面図である。
【図６】図６は、図１の茶葉摘採機の閉状態の背面図である。
【図７】図７は、図１中の収容容器の開状態の側面図である。
【図８】図８は、図７の収容容器の開状態の背面図である。
【図９】図９は、図７の収容容器の閉状態の側面図である。
【図１０】図１０は、図７の収容容器の閉状態の背面図である。
【図１１】図１１は、図１中の覆布を模式的に示す斜視図である。
【図１２】図１２は、本発明の第２実施形態の覆布を模式的に示す斜視図である。
【発明を実施するための形態】
【００１６】
以下、本発明の実施形態を、図面に基づいて説明する。
【００１７】
［第１実施形態］
図１から図６は、本発明の第１実施形態に係る茶葉摘採機１を示す図である。
図１は、収容容器４１を開いた状態の側面図である。図２は、収容容器４１を開いた状態の上面図である。図３は、収容容器４１を開いた状態の背面図である。
図４は、収容容器４１を閉じた状態の側面図である。図５は、収容容器４１を閉じた状態の上面図である。図６は、収容容器４１を閉じた状態の背面図である。
なお、図４から図６では、後述する覆布４８は、取り外されており、図示を省略している。
本実施形態において上下左右前後は、図１から図６に示す方向を意味する。
【００１８】
図１の茶葉摘採機１は、茶円内で茶畝を跨いで走行し、茶畝から茶葉を刈り取って回収する。茶葉摘採機１は、走行機体２、刈取装置３、搬送装置４、収容装置５、を有する。
【００１９】
走行機体２は、茶畝を跨いで走行可能な機体である。
走行機体２は、メインフレーム１１と、一対の前脚柱フレーム１４と、一対の後脚柱フレーム１５と、を有する。
【００２０】
メインフレーム１１には、刈取装置３、搬送装置４、収容装置５などの装置が積載される。
メインフレーム１１は、走行機体２の前後方向に延在する左右一対の前後フレーム１２と、左右一対の前後フレーム１２を連結する複数のクロスフレーム１３と、を有する。複数のクロスフレーム１３のうち、最も前側のものを最前のクロスフレーム１３と呼び、最も後側のものを最後のクロスフレーム１３と呼ぶ。メインフレーム１１は、クロスフレーム１３により連結された左右一対の前後フレーム１２による矩形枠型（の輪郭）を基本形状とする。メインフレーム１１の前部には、作業者が乗車して操縦するための操縦部６が設けられる。操縦部６には、着座シート、ハンドル、レバー、スイッチなどが設けられる。
【００２１】
一対の前脚柱フレーム１４は、最前のクロスフレーム１３に対して左右方向へ移動可能に取り付けられる。前脚柱フレーム１４は、前後フレーム１２から下側へ延びる。一対の前脚柱フレーム１４と最前のクロスフレーム１３とにより、門型の前脚部が形成される。
一対の後脚柱フレーム１５は、最後のクロスフレーム１３に対して左右方向へ移動可能に取り付けられる。後脚柱フレーム１５は、前後フレーム１２から下側へ延びる。一対の後脚柱フレーム１５と最後のクロスフレーム１３とにより、門型の後脚部が形成される。
なお、本実施形態において、後脚柱フレーム１５は、前脚柱フレーム１４より長い。メインフレーム１１は、前後方向の中央でクランク形状に湾曲し、側面視で前部より後部が高くなる階段形状に形成される。
【００２２】
右側の前脚柱フレーム１４の下端と、右側の後脚柱フレーム１５の下端とは、右側のクローラ７に接続される。左側の前脚柱フレーム１４の下端と、左側の後脚柱フレーム１５の下端とは、左側のクローラ７に接続される。右側のクローラ７および左側のクローラ７の一対のクローラ７は、メインフレーム１１に積載されたエンジン８の駆動力により駆動される。本実施形態では、エンジン８は、操縦部６と並べて、メインフレーム１１の前部に配置される。なお、クローラ７に替えて、タイヤによる車輪、レール上を走行する車輪を用いてもよい。
一対の前脚柱フレーム１４の間隔（左右幅）および一対の後脚柱フレーム１５の間隔を調整することにより、右側のクローラ７と左側のクローラ７との間隔を調整できる。右側のクローラ７および左側のクローラ７は、茶園内に並べて形成される複数の茶畝の間に位置できる。走行機体２は、門型の前脚部および門型の後脚部により、茶畝を跨いだ状態で走行できる。
【００２３】
刈取装置３は、茶畝から茶葉を刈り取る装置である。
刈取装置３は、刈取フレーム２１、バリカン刃２２（図７を参照）、刈刃昇降機構２３、を有する。
刈取フレーム２１は、一方向に長尺な矩形形状の板である。刈取フレーム２１は、長尺方向を左右方向として、前脚柱フレーム１４と後脚柱フレーム１５との間に配置される。刈取フレーム２１の左右幅は、メインフレーム１１の左右幅と略等しい。刈取フレーム２１は、茶畝の上面に沿って、左右方向で円弧形状に湾曲する。
バリカン刃２２は、刈取フレーム２１に幅方向に往復運動可能に取り付けられる。バリカン刃２２は、幅方向に長尺な外形を有し、その前縁に複数の刃が形成される。バリカン刃２２は、エンジン８または油圧機構により幅方向に揺動する。バリカン刃２２の複数の刃は、左右方向へ移動し、茶畝から茶葉を刈る。
刈刃昇降機構２３は、一対の後脚柱フレーム１５に上下方向に昇降可能に取り付けられる。刈刃昇降機構２３は、刈取フレーム２１が取り付けられる。刈取フレーム２１は、メインフレーム１１の下側に位置する。刈刃昇降機構２３は、たとえば油圧機構により昇降する。これにより、刈取フレーム２１も昇降する。茶畝の上部に対するバリカン刃２２の高さを調整できる。茶葉の刈取り長さを調整できる。また、刈取フレーム２１は上向きに凸に湾曲しているので、茶畝に対して広い左右幅でバリカン刃２２を当てることができる。
【００２４】
搬送装置４は、刈取装置３が刈り取った茶葉を、収容容器４１へ搬送する装置である。
搬送装置４は、搬送ダクト３１、図示外の搬送ファン、を有する。
搬送ダクト３１は、一対の後脚柱フレーム１５の間に取り付けられる。搬送ダクト３１は、メインフレーム１１の後部に立設される。搬送ダクト３１の下端は、刈取フレーム２１の後側に取り付けられる。搬送ダクト３１の下端には、茶葉の搬送を開始する部分としての下部開口部が形成される。刈り取った茶葉は、下部開口部から吸引される。搬送ダクト３１の上端には、後向きの排気口が形成される。
搬送ファンは、エンジン８の動力により回転駆動され、空気の流れ（気流、風）を発生する。搬送ファンは、たとえばエンジン８と一体に設けられる。
搬送ファンが生成した気流は、たとえば図示外の導風管を通じて、刈取フレーム２１の前側から、刈取フレーム２１の上方に向けて吹き付けられる。また、搬送ファンが生成した気流は、搬送ダクト３１内に吹き込まれ、搬送ダクト３１内を下から上へ向かう気流を発生させる。これらの気流により、茶畝から刈り取られた茶葉は、刈取フレーム２１の上方へ向かって移動し、搬送ダクト３１内を上昇し、搬送ダクト３１の排気口から気流とともに後方へ排出される。
【００２５】
収容装置５は、刈り取られた茶葉を収容する装置である。
収容装置５は、収容容器４１と、容器昇降機構６１と、を有する。
収容容器４１は、たとえば立方体形状の箱型に形成される。収容容器４１を立方体形状とすることで、メインフレーム１１上の設置スペースを有効に活用し、大きな容量を確保できる。
容器昇降機構６１は、収容容器４１を、一対の後脚柱フレーム１５に対して昇降可能に取り付ける。収容容器４１は、メインフレーム１１の後部に取り付けられる。容器昇降機構６１は、たとえば油圧などにより、収容容器４１を昇降させる。
降下位置では、収容容器４１は、搬送ダクト３１の後側に位置する。搬送ダクト３１から気流とともに排出される茶葉は、収容容器４１に入り、回収される。
収容容器４１を持ち上げた上昇位置において収容容器４１を開くことにより、収容容器４１に回収した茶葉を、トラックの荷台へ落とすことができる。
【００２６】
ところで、収容容器４１は、摘採した茶葉を大量に収容する必要があるために、できるだけ大型に形成することが望ましい。また、収容容器４１は、収容した大量の茶葉の重さに耐え得る強度に形成することが望ましい。このため、収容容器４１は、一般的に、金属を用いて大型に形成する。
しかしながら、茶葉摘採機１は、茶畝を跨いだ状態で茶園内を走行しながら、茶畝から茶葉を刈り取り、収容容器４１に収容する。茶園は、平地に限られず、傾斜地もある。茶畝も直線状に限られない。また、茶葉摘採機１は、大量の茶葉を収容した後、茶園内をトラックまで移動し、収容した茶葉を荷台へ移す。このため、茶葉摘採機１には、不正地での高い走行性能が要求される。また、茶葉摘採機１は、悪路走行に適した走行性能であり、高速走行には不向きであるため、トラックの荷台に載せて茶園まで搬送することが多い。
その結果、茶葉摘採機１には、比較的軽量であること、低い重心であることなどが望まれる。また、茶葉摘採機１は、トラックの荷台に収まるコンパクトなサイズに形成することも望まれる。
また、茶葉摘採機１の後部に取り付けて使用する収容容器４１についても、茶葉の回収性能の観点からは大型で丈夫なものが要求されるにもかかわらず、軽量、低重心、低張出などの相反する性能も望まれる。
【００２７】
そこで、本実施形態の茶葉摘採機１では、収容容器４１を折り畳み式とする。
図７から図１０は、図１中の収容容器４１を示す図である。
図７は、開状態での収容容器４１の側面図である。図８は、開状態での収容容器４１の背面図である。
図９は、閉状態での収容容器４１の側面図である。図１０は、閉状態での収容容器４１の背面図である。
本実施形態の収容容器４１は、枠部材４２、前側面板４５、底板４７、覆布４８、保持機構４９、を有する。
【００２８】
枠部材４２は、立方体形状の収容容器４１の外形に沿って形成された枠体である。
枠部材４２は、複数の金属製の長尺部材を、収容容器４１の立方体形状（外形）に沿って枠状に組み合わせたものである。本実施形態の枠部材４２は、一対の側柱フレーム４３、底枠フレーム４４、を有する。
【００２９】
側柱フレーム４３は、縦長のビームフレームである。側柱フレーム４３は、後脚柱フレーム１５に沿って立てて、昇降可能に取り付けられる。側柱フレーム４３は、上下方向中央部に後方へ向かって突出したリブ５３を有する。一対の側柱フレーム４３は、立方体の前側の一対の縦辺を構成する。
【００３０】
底枠フレーム４４は、矩形枠形状のフレームである。底枠フレーム４４は、矩形の一辺側が一対の側柱フレーム４３の間に位置するように、側柱フレーム４３の下端部に上下方向に回動可能に取り付けられる。底枠フレーム４４は、側柱フレーム４３の下端部から後方に展開できる。底枠フレーム４４は、立方体の底面枠を構成する。
【００３１】
このような枠構造を有する枠部材４２は、一対の側柱フレーム４３に対して、底枠フレーム４４を開くことにより、枠部材４２を立方体形状に沿った形状に展開できる。また、底枠フレーム４４を閉じることにより、枠部材４２の全体を薄板状に閉じることができる。
【００３２】
前側面板４５は、立方体形状の収容容器４１の前面を塞ぐ板である。前側面板４５は、たとえば矩形板状に形成された金属板または樹脂板である。前側面板４５は、一対の側柱フレーム４３の間に固定される。前側面板４５は、立方体の前面を構成する。
前側面板４５には、搬送ダクト３１の排気口に対応する位置に、貫通孔４６が形成される。
【００３３】
底板４７は、立方体形状の収容容器４１の底面を塞ぐ板である。底板４７は、たとえば矩形形状に形成された金属板または樹脂板である。底板４７は、底枠フレーム４４内に固定される。底板４７は、立方体の底面を構成する。
底枠フレーム４４および底板４７は、走行機体２の後部に、立ち姿勢と水平姿勢との間で姿勢を変化可能に取り付けられた底枠または底板として機能する。水平姿勢に展開した底枠フレーム４４および底板４７により、立方体形状の収容容器４１の底面部分が構成される。
【００３４】
図１１は、本実施形態の覆布４８を模式的に示す斜視図である。
覆布４８は、立方体形状の収容容器４１の外面を構成する布である。覆布４８は、立方体形状の収容容器４１についての、前面および底面以外の面を覆う。本実施形態の覆布４８は、立方体形状の収容容器４１の上面、左右の側面、後側面を構成する。覆布４８は、これら複数の面に対応する多面の立体形状に形成される。収容容器４１の上部は、覆布４８により構成される。
覆布４８は、単位面積当たりの重量が金属板よりも軽量で、折り畳むことができるものであればよい。覆布４８は、たとえば可撓可能な紐、樹脂ワイヤ、金属ワイヤを、展開時の立体形状に編んだ網構造の布である。覆布４８の網目は、気流を通し且つ茶葉を通さないサイズに形成する。
立体形状の覆布４８は、立体形状の外縁部分５８が、枠部材４２に対して、着脱可能に取り付けられる。本実施形態の立体形状の覆布４８は、立体形状の外縁部分５８が、前側面板４５の上縁、一対の側柱フレーム４３、および底枠フレーム４４に取り付けられる。
【００３５】
保持機構４９は、収容容器４１を立方体形状に開いた状態に保持する機構である。この際、保持機構４９は、覆布４８を下から支える。
また、保持機構４９は、収容容器４１を折り畳んで閉じた状態に保持する機構でもある。
保持機構４９は、一対の上展開フレーム５０、上連結フレーム５１、一対の下展開フレーム５２、を有する。
保持機構４９は、一対の上展開フレーム５０および上連結フレーム５１により、覆布４８の上面外周５９を支え、覆布４８をその立体形状に展開する。すなわち、保持機構４９は、一対の上展開フレーム５０および上連結フレーム５１により、立体形状の覆布４８の外縁部分５８以外の上面外周５９を支え、覆布４８をその立体形状に展開する。
また、保持機構４９は、一対の下展開フレーム５２を、底枠フレーム４４に取り付けることにより、枠部材４２を立方体形状に沿った枠形状に展開する。
【００３６】
上展開フレーム５０は、長尺のビームフレームである。上展開フレーム５０の一端（固定端）は、側柱フレーム４３のリブ５３に、上下方向に回動可能に取り付けられる。上下方向に回動可能な上展開フレーム５０は、たとえばリブ５３に設けた貫通孔と係合するノブボルトにより、側柱フレーム４３に沿って立てた閉位置と、側柱フレーム４３から斜め上方へ向かうように展開した開位置とに、固定できる。
【００３７】
上連結フレーム５１は、長尺のビームフレームである。上連結フレーム５１は、一対の上展開フレーム５０の他端（自由端）を連結する。一対の上展開フレーム５０および上連結フレーム５１により、コの字型またはＵ字型の保持フレームが形成される。
枠部材４２に覆布４８を取り付けた状態で、一対の上展開フレーム５０および上連結フレーム５１は、覆布４８の内側に位置する。
【００３８】
下展開フレーム５２は、長尺のビームフレームである。下展開フレーム５２の一端（固定端）は、側柱フレーム４３のリブ５３に、上下方向に回動可能に取り付けられる。上下方向に回動可能な下展開フレーム５２は、たとえばリブ５３に設けた貫通孔と係合するノブボルトにより、側柱フレーム４３に沿って倒れた閉位置と、側柱フレーム４３から斜め下方へ向かうように展開した開位置とに、固定できる。また、下展開フレーム５２の他端（自由端）は、底枠フレーム４４に設けた貫通孔と係合するノブボルトにより、展開した底枠フレーム４４と着脱可能に連結される。
【００３９】
収容容器４１を展開した状態に保持する場合、図７および図８に示すように、保持機構４９は、一対の上展開フレーム５０および下展開フレーム５２を開位置に展開する。下展開フレーム５２は、底枠フレーム４４と連結され、底枠フレーム４４を側柱フレーム４３の下端から後方へ向かって水平に延びた姿勢に保持する。上展開フレーム５０は、側柱フレーム４３のリブ５３から斜め後ろ上方へ向かって延びた位置に固定される。上連結フレーム５１は、前側面板４５の上縁の後方位置に保持される。
これにより、外縁部分５８が枠部材４２に取り付けられた立体形状の覆布４８は、その立体形状に展開する。覆布４８は、立方体形状の上面、左右の側面、および後側の側面となるように展開する。上連結フレーム５１は、立方体形状の上面と後側の側面との間の辺を保持する。
その結果、立方体形状の空間が、収容容器４１に形成される。収容容器４１は、搬送ダクト３１の後ろ側において、立方体形状に展開する。
すなわち、保持機構４９は、立体形状の覆布４８の上面部分についての、外縁部分５８の一部となっていないコの字またはＵ型の上面外周５９を支える。ここでは、コの字の上面外周５９の少なくとも一部を支える。これにより、覆布４８は所望の多面の立体形状に開き、収容容器４１は所望の立方体形状に開いた状態に保持される。収容容器４１は、茶葉を収容するために好適な立方体形状に保持される。
また、保持機構４９は、立体形状の覆布４８について外縁部分５８以外の上面外周５９を支えることにより、覆布４８を立方体形状の上部の複数の面を構成する立体形状に保持する。立方体形状の上部を構成する少なくとも二面（ここでは上部の四面）は、覆布４８により形成される。
【００４０】
収容容器４１を折り畳んで閉じた状態に保持する場合、図９および図１０に示すように、保持機構４９は、一対の上展開フレーム５０および下展開フレーム５２を閉位置に保持する。下展開フレーム５２は、底枠フレーム４４から外され、側柱フレーム４３のリブ５３から側柱フレーム４３に沿って下向きに垂れ下がった閉位置に保持される。上展開フレーム５０は、側柱フレーム４３のリブ５３から側柱フレーム４３に沿って上向きに立てた閉位置に保持される。上連結フレーム５１は、前側面板４５の上縁の上方に位置する。底枠フレーム４４は、側柱フレーム４３に沿って立てた閉位置に保持される。
保持機構４９および枠部材４２が閉じた状態では、覆布４８も閉じる。垂れ下がった覆布４８の下部は、閉状態の底枠フレーム４４と、前側面板４５との間に挟まれて覆われる。底枠フレーム４４は、立方体形状の１つの面を構成する、開状態と閉状態との間で可動可能な開閉部材として機能する。
このように、メインフレーム１１の後部に取り付けられた収容容器４１は、前後方向に開閉し、側柱フレーム４３に沿った状態に折り畳むことができる。収容容器４１は、メインフレーム１１の後端から、後方へ向かって開くことにより、メインフレーム１１の後端から後方へ突出した状態で立方体形状に展開する。また、収容容器４１は、前方へ向かって折り畳まれることにより、メインフレーム１１の後端からの突出量を抑えた状態に折り畳まれる。
【００４１】
このように収容容器４１の上部が覆布４８で構成されることにより、作業者は、保持機構４９の上展開フレーム５０および下展開フレーム５２を開閉する作業をすることにより、メインフレーム１１の後部に取り付けられた収容容器４１を開閉することができる。
作業者は、地上において、リブ５３における上展開フレーム５０および下展開フレーム５２の固定位置を変更する作業をすることにより、収容容器４１を開閉することができる。
【００４２】
［第２実施形態］
次に、本発明の第２実施形態に係る茶葉摘採機１を説明する。
本実施形態の茶葉摘採機１では、第１実施形態と比べて、覆布４８の構造が変更されている。これ以外の構成は、第１実施形態のものと同様であり、第１実施形態と同じ符号を用い、説明を省略する。
【００４３】
図１２は、本発明の第２実施形態の覆布４８を模式的に示す斜視図である。
本実施形態の覆布４８は、立方体形状の収容容器４１の上面、左右の側面、後側面を構成する。覆布４８は、これら複数の面に対応する多面の立体形状に形成される。収容容器４１の上部は、覆布４８により構成される。
覆布４８の上面部分４８Ｕは、たとえば可撓可能な紐、金属ワイヤを、展開時の平面形状に編んだ網構造の布である。覆布４８は、気流を通し且つ茶葉を通さないサイズの網目に形成される。
覆布４８の三枚の側面部分４８Ｓは、空気孔が形成されてない、通気性の無い一枚の布で構成される。
覆布４８は、上面部分４８Ｕの布の三辺に対して側面部分４８Ｓの布の上縁を縫い合わせて一体化した立体形状を有する。
そして、立体形状の覆布４８は、立体形状の外縁部分５８が、枠部材４２に対して、着脱可能に取り付けられる。覆布４８は、外縁部分５８が、前側面板４５の上縁、一対の側柱フレーム４３、および底枠フレーム４４に取り付けられる。
【００４４】
［実施形態の効果］
以上の各実施形態では、収容容器４１の一部を覆布４８で構成する。
このように収容容器４１の一部を覆布４８で構成することにより、収容容器４１の全体を金属で形成する場合と比べて収容容器４１が軽量になる。また、収容容器４１を取り付けた茶葉摘採機１の重心が高くなることを、抑えることができる。
【００４５】
また、本実施形態では、収容容器４１についての少なくとも上部（ここでは上部の４面）を、覆布４８により構成する。
これにより、単に収容容器４１の重さを軽くできるだけでなく、収容容器４１の低重心化を図ることができる。収容容器４１を取り付けた茶葉摘採機１の低重心化を図ることができる。
そして、収容容器４１についての少なくとも上部を覆布４８により構成する場合、覆布４８を下から支えないと収容容器４１が広がらない。このため、本実施形態では、保持機構４９を用い、少なくとも上部が覆布４８により構成された収容容器４１を開いた状態に保持する。収容容器４１を、茶葉を収容するための所定の立方体形状に保持する。これにより、茶葉を収容する際に収容容器４１を広げた状態に維持できる。覆布４８を支えないままで茶葉を収容させる場合と比べて、所望の量の茶葉を収容容器４１に収容させることができる。収容容器４１の収容能力を損なうことなく、収容容器４１の低重心化を図れる。
【００４６】
また、本実施形態では、収容容器４１についての少なくとも上面（ここでは４面）を、覆布４８により構成している。これにより、上面以外の仮にたとえば側面部分のみを覆布４８により構成している場合に比べて、収容容器４１の重心を下げることができる。
また、側面部分のみを覆布４８により構成している場合、収容容器４１を折り畳んで閉じる際に、下面だけでなく上面についても、作業者が閉じる作業を実施する可能性がある。本発明では、このような上面を閉じるための高所作業が不要である。
収容容器４１を開閉する際の作業性が改善される。
【００４７】
また、本実施形態では、収容容器４１は、立体形状の覆布４８を有し、保持機構４９は、立体形状の覆布４８の外縁部分５８以外の上面外周５９を支えることにより覆布４８を立体形状に保持する。立体形状の覆布４８は、立方体形状の収容容器４１についての少なくとも二面を形成する。
これにより、立方体形状の収容容器４１についての少なくとも二面は、それらの間で連続する覆布４８で形成できる。収容容器４１の枠体（枠部材４２）自体を立方体形状に形成する必要が無い。収容容器４１の枠体（枠部材４２）の一部を省略して更なる軽量化を図りつつ、立方体形状の収容容器４１を実現できる。
特に、本実施形態では、立方体形状の収容容器４１についての上部を構成する少なくとも二面を、１枚の覆布４８で形成する。これにより、収容容器４１についての更なる低重心化を図れる。
【００４８】
また、本実施形態では、茶葉摘採機１は、走行可能な走行機体２を有し、収容容器４１は、走行機体２のメインフレーム１１の後部に、走行機体２の前後方向に折り畳み可能に取り付けられ、走行機体２の後方へ向かって開くことにより立方体形状になる。
これにより、収容容器４１は、茶葉摘採機１の走行機体２のメインフレーム１１の後部に、前後方向に折り畳み可能に設けられる。収容容器４１を使用する場合は収容容器４１を後方に広げて所望の容量を確保しつつ、たとえば移動中では収容容器４１を前へ折り畳んで走行機体２からの張り出し量を抑えることができる。収容容器４１の収容能力と可搬性とを両立できる。
しかも、本実施形態では、収容容器４１を折り畳むだけなので、収容容器４１を走行機体２の上へ跳ね上げることにより後方への張り出しを抑える場合のように、茶葉摘採機１の重心が高くなることもない。
【００４９】
また、本実施形態では、収容容器４１は、走行機体２のメインフレーム１１の後部において立方体形状に開き、覆布４８は、立方体形状の上面部分、左右の側面部分および後側の側面部分に対応する多面の立体形状を有し、保持機構４９は、覆布４８についての外縁部分５８以外のコの字の上面外周５９の少なくとも一部を支えることにより覆布４８を多面の立体形状に開き、収容容器４１を、立方体形状に開いた状態に保持する。
これにより、立方体形状の収容容器４１の上面部分、左右の側面部分および後側の側面部分を、覆布４８で形成できる。よって、収容容器４１は、前側の側面部分および底面部分についてのみ金属等で形成すればよい。その結果、仮にたとえば収容容器４１の上面部分などを板材で形成した場合と比べて、収容容器４１を軽くでき、収容容器４１の重心を下げることができる。しかも、保持機構４９が覆布４８の上面外周５９を支えるので、多面の立体形状の覆布４８を、所定の立方体形状に合わせて開くことができる。収容容器４１の上面部分、左右の側面部分および後側の側面部分を覆布４８で形成しているにもかかわらず、収容容器４１全体を金属で形成した場合と同等の茶葉の収容能力が得られる。
【００５０】
また、本実施形態では、覆布４８は、少なくとも上面部分が、通気可能なメッシュ構造または多孔構造である。
これにより、摘採した茶葉を収容容器４１まで搬送するために、風を使用できる。上面部分から搬送風を排気し、摘採された茶葉を収容容器４１まで効率よく搬送できる。摘採した茶葉を送風のみで収容容器４１まで搬送できる。しかも、風で茶葉を搬送しているにもかかわらず、立方体形状の一部が覆布４８により構成された収容容器４１を所望の立方体形状に維持でき、該立方体形状による所望の茶葉の収容能力が得られる。
特に、第２実施形態では、覆布４８についての上面部分以外の側面部分を、メッシュ構造または多孔構造ではない通常の布にする。これにより、側面部分が、茶葉摘採機１の他の部分などに引っ掛かり難くなる。覆布４８の全体を通気可能なメッシュ構造または多孔構造とする場合と比べて、覆布４８の開閉作業が容易になる。
【００５１】
また、第１実施形態では、覆布４８は、左右の側面部分および後側の側面部分が、通気可能なメッシュ構造または多孔構造である。
これにより、覆布４８の上面部分および側面部分を、通気可能なメッシュ構造または多孔構造にできる。収容容器４１内で空気が溜まったり、回ったりし難くできる。摘採した茶葉を搬送する風を好適に外へ逃がし、茶葉を収容する作業中に収容容器４１を立方体形状に維持できる。所望の茶葉の収容能力が得やすい。収容容器４１内への風の吹き出し方向を上方に制限しなくてよい。
【００５２】
また、本実施形態では、収容容器４１は、走行機体２のメインフレーム１１の後部に、立ち姿勢と水平姿勢との間で姿勢を変化可能に取り付けられた底枠フレーム４４および底板４７を有し、水平姿勢の底板４７により立方体形状の底面部分が構成され、覆布４８の下縁は、収容容器４１を折り畳む場合、立ち姿勢の底枠フレーム４４および底板４７と走行機体２との間に収容される。
これにより、立方体形状の収容容器４１の底面部分を、水平姿勢の底枠フレーム４４および底板４７により構成できる。収容容器４１は、大量の茶葉を収容した状態において立方体形状を維持できる。所望の茶葉の収容能力が得やすい。
また、収容容器４１を折り畳む場合には、底枠フレーム４４および底板４７を立ち姿勢とし、底枠フレーム４４および底板４７による走行機体２の後方への張り出しを抑えることができる。しかも、覆布４８の下縁は、立ち姿勢の底枠フレーム４４および底板４７と走行機体２との間に収容される。よって、覆布４８は、収容容器４１を折り畳んだ状態において立体形状に張られておらずに弛んでいるにもかかわらず、底枠フレーム４４および底板４７により抑えられて、風などで広がり難い。
【００５３】
以上の各実施形態は、本発明の好適な実施形態の例であるが、本発明は、これに限定されるものではなく、発明の要旨を逸脱しない範囲において種々の変形または変更が可能である。
【００５４】
上記実施形態では、立方体形状の収容容器４１の上面部分、左右の側面部分および後側の側面部分が、１つの覆布４８で形成されている。複数の覆布４８を用いてもよい。
この他にもたとえば、覆布４８は、平面とされ、立方体形状の収容容器４１の、上面部分のみを形成してもよい。この場合、立方体形状の収容容器４１の上面のみが覆布４８で構成される。立方体形状のそれ以外の４つの側面および底面は、板材で構成してよい。板材は、金属やプラスチックで構成できる。板材は、通気機能な多孔構造でも、メッシュ（網目）構造でもよい。板材の一部が通気構造としてよい。側面の板材は、折り畳み可能な構造としてよい。
また、覆布４８は、側面部分のみを形成してもよい。この場合、立方体形状の収容容器４１の上面および底面は、板材で構成してよい。上面は、たとえば底面と同様に折り畳み可能としてよい。
また、覆布４８は、立方体形状の収容容器４１の、前側の側面部分および底面部分についても形成してもよい。この場合、立方体形状の収容容器４１は、６面のすべてが覆布４８により構成される。各面の一部に板材を用いてもよい。６面体形状の覆布４８は、立方体形状に組んだフレームと組み合わせてよい。立方体形状に組んだフレームは、折り畳み可能としてよい。
また、収容容器４１を開いた形状は、立方体形状に限られず、三角錐形状、三角柱形状、円柱形状、かまぼこ型形状でもよい。
これらの多面体形状の収容容器４１の場合でも、収容容器４１は、平面または多面形状の覆布４８を有し、保持機構４９は、覆布４８の外縁部分５８以外の部分（ここでは外縁部分５８となっていない上面外周５９の一部）を支えることにより覆布４８を多面形状に保持し、該多面形状の覆布４８により多面体形状の上部を構成する少なくとも二面を形成することができる。
【００５５】
上記実施形態では、１つの覆布４８についての、立方体形状の収容容器４１の上面部分に対応する部分が、メッシュ構造または多孔構造である。
この他にもたとえば、１つの覆布４８についての上面部分、左右の側面部分および後側の側面部分に対応する部分の一部が、メッシュ構造または多孔構造でもよい。または、その他の側面部分または底面部分についても、通気可能なメッシュ構造または多孔構造でもよい。または、１つの側面部分のみを、たとえば後側の側面部分のみを、通気可能なメッシュ構造または多孔構造としてもよい。または、底面部分のみを、通気可能なメッシュ構造または多孔構造としてもよい。すなわち、多面体形状の収容容器４１の少なくとも１つの面部分の一部が、覆布４８により通気可能なメッシュ構造または多孔構造であればよい。
【００５６】
上記実施形態では、収容容器４１の底面部分は、底板４７を有する。
この他にもたとえば、収容容器４１の底面部分は、枠状の底枠でもよい。この場合、底枠の内側には、覆布４８を設ければよい。底枠内の覆布４８は、他の覆布４８と一体に形成されもよい。
【００５７】
上記実施形態では、底枠フレーム４４および底板４７が、立ち姿勢と水平姿勢との間で姿勢を変化可能に取り付けられ、折り畳んだ状態で覆布４８の下縁は、立ち姿勢の、底枠フレーム４４および底板４７と、前側面板４５（走行機体２）との間に収容される。
この他にもたとえば、収容容器４１は、多面体形状の底面以外の面を構成する開閉部材を有し、この開閉部材を開状態と閉状態との間で可動可能とし、覆布４８は、収容容器４１を折り畳んだ状態において、少なくとも一部が、閉状態の開閉部材により覆われる、ようにししてもよい。
【００５８】
上記実施形態では、覆布４８は、紐、ワイヤ若しくはチェーンを編んだ網構造により、通気可能なメッシュ構造または多孔構造を有する。
この他にもたとえば、紐、ワイヤ若しくはチェーンは、格子状または面状に編んでよい。または、覆布４８は、板若しくは布に孔を開けた多孔板若しくは多孔布で形成してもよい。または、覆布４８は、これらを組み合わせた構造としてもよい。
【００５９】
上記実施形態は、本発明を茶葉摘採機１に適用した例である。
この他にもたとえば、本発明は、果実を収容する収容容器４１を具える、その他の走行可能な作業機に適用できる。また、ポータブルタイプの作業機であっても、収容容器４１を、軽量な折り畳み式とすることができる。
【符号の説明】
【００６０】
１…茶葉摘採機、２…走行機体（機器本体）、３…刈取装置、４…搬送装置、５…収容装置（茶葉収容装置）、６…操縦部、７…クローラ、８…エンジン、１１…メインフレーム、１２…前後フレーム、１３…クロスフレーム、１４…前脚柱フレーム、１５…後脚柱フレーム、２１…刈刃フレーム、２２…バリカン刃、２３…刈刃昇降機構、３１…搬送ダクト、４１…収容容器、４２…金属枠部材、４３…側柱フレーム、４４…底枠フレーム（底枠、開閉部材）、４５…前側面板、４６…貫通孔、４７…底板（開閉部材）、４８…覆布、４８Ｕ…上面部分、４８Ｓ…側面部分、４９…保持機構、５０…上展開フレーム、５１…上連結フレーム、５２…下展開フレーム、５３…リブ、５８…外縁部分（覆布の外縁部分）、５９…上面外周（覆布の外縁以外の部分）、６１…容器昇降機構
【図１】
2014226049.tif 000003
【図２】
2014226049.tif 000004
【図３】
2014226049.tif 000005
【図４】
2014226049.tif 000006
【図５】
2014226049.tif 000007
【図６】
2014226049.tif 000008
【図７】
2014226049.tif 000009
【図８】
2014226049.tif 000010
【図９】
2014226049.tif 000011
【図１０】
2014226049.tif 000012
【図１１】
2014226049.tif 000013
【図１２】
2014226049.tif 000014